(57)【特許請求の範囲】
【請求項１】
乗りかごおよび釣合おもりを有したロープ式エレベータの停電時に乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段から前記制御手段に供給する制御電源電圧および前記停電時電力供給手段から前記昇降用電動機に供給する駆動電源電圧の少なくとも一方が所定値より低下したことを検出する電圧低下検出手段と、を備え、
前記制御手段は、前記制御電源電圧および前記駆動電源電圧の少なくとも一方が前記所定値より低下したことを前記電圧低下検出手段が検出すると、前記昇降用電動機を反対方向に運転して救出運転を再開するとともに、
前記制御手段は、救出運転開始後に昇降用電動機の運転方向を一旦反転させた場合は、前記停電時電力供給手段が供給する前記制御電源電圧若しくは前記駆動電源電圧が前記所定値より低下したことを前記電圧低下検出手段が再度検出しても、昇降用電動機の運転方向を反転させることなく救出運転を継続することを特徴とするエレベータの停電時救出運転装置。
【請求項２】
乗りかごおよび釣合おもりを有したロープ式エレベータの停電時に乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段から前記制御手段に供給する制御電源電圧および前記停電時電力供給手段から前記昇降用電動機に供給する駆動電源電圧の少なくとも一方が所定値より低下したことを検出する電圧低下検出手段と、
前記乗りかごの昇降速度を検出する昇降速度検出手段と、を備え、
前記制御手段は、前記制御電源電圧および前記駆動電源電圧の少なくとも一方が前記所定値より低下したことを前記電圧低下検出手段が検出すると、前記昇降用電動機を反対方向に運転して救出運転を再開するとともに、
前記制御手段は、乗りかごの昇降速度が増加していることを前記昇降速度検出手段が検出した場合には、前記電圧低下検出手段の検出結果にかかわらず現在行っている救出運転を継続することを特徴とするエレベータの停電時救出運転装置。
【請求項３】
乗りかごおよび釣合おもりを有したロープ式エレベータの停電時に乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段から前記制御手段に供給する制御電源電圧および前記停電時電力供給手段から前記昇降用電動機に供給する駆動電源電圧の少なくとも一方が所定値より低下したことを検出する電圧低下検出手段と、
前記乗りかごの昇降速度を検出する昇降速度検出手段と、を備え、
前記制御手段は、前記制御電源電圧および前記駆動電源電圧の少なくとも一方が前記所定値より低下したことを前記電圧低下検出手段が検出すると、前記昇降用電動機を反対方向に運転して救出運転を再開するとともに、
前記制御手段は、救出運転開始後に昇降用電動機の運転方向を一旦反転させた場合は、前記停電時電力供給手段が供給する前記制御電源電圧若しくは前記駆動電源電圧が前記所定値より低下したことを前記電圧低下検出手段が再度検出しても、昇降用電動機の運転方向を反転させることなく救出運転を継続し、
かつ前記制御手段は、乗りかごの昇降速度が増加していることを前記昇降速度検出手段が検出した場合には、前記電圧低下検出手段の検出結果にかかわらず現在行っている救出運転を継続することを特徴とするエレベータの停電時救出運転装置。
【請求項４】
前記停電時電力供給手段が前記制御手段に供給する制御電源電圧を一定に保つ定電圧回路をさらに備えることを特徴とする請求項１乃至３のいずれかに記載のエレベータの停電時救出運転装置。
【請求項５】
乗りかごおよび釣合おもりを有したロープ式エレベータの停電時に、乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段が出力する電流を監視する電流検出手段と、を備え、
前記制御手段は、前記停電時電力供給手段が救出運転中に所定値以上の電流を所定時間以上連続して出力していることを前記電流検出手段が検出すると、昇降用電動機の運転方向を反転させて救出運転を再開し、
前記制御手段は、救出運転開始後に昇降用電動機の運転方向を一旦反転させた後に、前記停電時電力供給手段が所定値以上の電流を所定時間以上連続して出力していることを前記電流検出手段が再度検出しても、昇降用電動機の運転方向を反転させることなく現在行っている救出運転を継続することを特徴とするエレベータの停電時救出運転装置。
【請求項６】
前記乗りかごの昇降速度を検出する昇降速度検出手段をさらに備えるとともに、前記制御手段は、乗りかごの昇降速度が増加していることを前記昇降速度検出手段を検出した場合に、前記電流検出手段の検出結果にかかわらず現在行っている救出運転を継続することを特徴とする請求項５に記載のエレベータの停電時救出運転装置。
【請求項７】
前記停電時電力供給手段を互いに直列に接続した複数のバッテリから構成するととともに、前記バッテリを個別に充電する充電手段をさらに備えることを特徴とする請求項１乃至６のいずれかに記載のエレベータの停電時救出運転装置。
【請求項８】
前記昇降用電動機にインバータを介して駆動電源電圧を供給するように構成するとともに、前記インバータの電源整流ダイオードが、前記停電時電力供給手段が前記インバータに電力を供給する回路に設ける逆流防止ダイオードを兼ねることを特徴とする請求項１乃至７のいずれかに記載のエレベータの停電時救出運転装置。
【請求項９】
停電時に乗りかごが停止した位置を検出する位置検出手段をさらに備えるとともに、前記制御手段は、停電時に乗りかごが停止した位置に応じて実行する救出運転方法を選別して実行することを特徴とする請求項１乃至８のいずれかに記載のエレベータの停電時救出運転装置。
【請求項１０】
前記制御手段および前記停電時電力供給手段を、一つの雷サージ吸収装置を介して常用電源に接続したことを特徴とする請求項１乃至９のいずれかに記載のエレベータの停電時救出運転装置。
【発明の詳細な説明】
【０００１】
【発明の属する技術分野】
本発明は、常用電源が停電してエレベータを運転できなくなった場合に、非常用電源を用いてエレベータを運転し、乗りかごを最寄りの階床に着床させて乗りかご内の乗客を救出するエレベータの停電時救出運転装置に関する。
【０００２】
【従来の技術】
常用電源が停電してエレベータを運転できなくなると、階床間で停止した乗りかご内に乗客が閉じ込められてしまう。そこで、従来のエレベータには、停電時に非常用電源を用いてエレベータを運転し、乗りかごを最寄りの階床に着床させて乗りかご内の乗客を救出する停電時救出運転装置が設けられている。
【０００３】
このような停電時救出運転装置を備えたエレベータの一例を図１５を参照して説明すると、エレベータ１の乗りかご２はロープＲを介して釣合おもり３と接続されるとともに、昇降用電動機４の正逆両方向の回転によって昇降する。
昇降用電動機４に電力を供給するインバータ装置５の作動は、主制御装置６から回路７を介して送られる制御信号によって制御される。
また、乗りかご２に設けた荷重検出装置２ａは、回路２ｂを介して主制御装置６に荷重信号を送信する。
【０００４】
常用電源８から供給される電力の一部は、充電装置９を介して非常用電源としてのバッテリ１０に蓄えられるとともに、ＤＣ／ＤＣコンバータ１６によって電圧が変換された後に回路１２を介して主制御装置６に、かつ回路１３を介して電圧低下検出装置１４にそれぞれ供給される。
また、電圧低下検出装置１４には、インバータ装置５が有する平滑コンデンサ２０の電圧が回路１５を介して供給される。
【０００５】
このような構造のエレベータにおいて常用電源８が停電すると、インバータ装置５および主制御装置６にはバッテリ１０から電力が供給され、乗りかご２を昇降させて最寄りの階床に着床させ、乗りかご２内の乗客を救出する。
このとき、主制御装置６は、荷重検出装置２ａからの信号に基づいて昇降用電動機４を回生側に起動し、バッテリ１０の出力負荷を小さくするような制御を行う。
また、電圧低下検出装置１４によってバッテリ１０の出力電圧が所定値以下に降下したことが検出されると、主制御装置６は救出運転を中止し、バッテリ１０の出力電圧が完全に低下してエレベータの救出運転制御が不能となることを防止する。
【０００６】
【発明が解決しようとする課題】
上述した従来の停電時救出運転装置においては、乗りかご２に設けた荷重検出装置２ａの異常等により救出運転開始時に昇降用電動機４を力行側に起動してしまった場合でも、救出運転はそのまま継続される。
これにより、エレベータを最大負荷で力行側に救出運転する場合にも、バッテリ１０の出力電圧が低下して救出運転が不能とならないように、バッテリ１０は必然的に大容量なものとせざるを得ない。
そして、このような大容量のバッテリ１０は、停電時救出運転装置のコスト低減のネックとなるばかりでなく、装置の大型化やメンテナンス作業の煩雑さをも招いていた。
【０００７】
そこで、救出運転開始時に昇降用電動機を誤って力行側に運転した場合に、昇降用電動機の運転を一旦停止させた後に直ちに反対方向に運転することにより、非常用電源としてのバッテリの容量を小さくする技術が、例えば特公平４−６４９９５号公報、特公平６−３１１３８号公報、特開平８−１３３６２０号公報等に記載されている。
しかしながら、これらの従来技術はいずれも、昇降用電動機を力行側へ起動したことを検出すると昇降用電動機を無条件で反対方向に運転するものであり、スムーズな救出運転を行うことができない。
また、昇降用電動機を力行側に起動したことを様々な手法を用いて判別しているために、装置の構造が複雑なものとなっている。
【０００８】
そこで、本発明の目的は、上述した従来技術が有する問題点を解消し、非常用電源としてのバッテリの容量を小さくすることにより製造コストおよび設置スペースを低減できるばかりでなく、スムーズな救出運転が可能で、かつ構造が簡単で保守性にも優れたエレベータの救出運転装置を提供することにある。
【０００９】
【課題を解決するための手段】
上記課題を解決する請求項１に記載の発明は、
乗りかごおよび釣合おもりを有したロープ式エレベータの停電時に乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段から前記制御手段に供給する制御電源電圧および前記停電時電力供給手段から前記昇降用電動機に供給する駆動電源電圧の少なくとも一方が所定値より低下したことを検出する電圧低下検出手段と、を備え、
前記制御手段は、前記制御電源電圧および前記駆動電源電圧の少なくとも一方が前記所定値より低下したことを前記電圧低下検出手段が検出すると、前記昇降用電動機を反対方向に運転して救出運転を再開するとともに、
前記制御手段は、救出運転開始後に昇降用電動機の運転方向を一旦反転させた場合は、前記停電時電力供給手段が供給する前記制御電源電圧若しくは前記駆動電源電圧が前記所定値より低下したことを前記電圧低下検出手段が再度検出しても、昇降用電動機の運転方向を反転させることなく救出運転を継続することを特徴とする。
【００１０】
また、上記課題を解決する請求項２に記載の発明は、
乗りかごおよび釣合おもりを有したロープ式エレベータの停電時に乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段から前記制御手段に供給する制御電源電圧および前記停電時電力供給手段から前記昇降用電動機に供給する駆動電源電圧の少なくとも一方が所定値より低下したことを検出する電圧低下検出手段と、
前記乗りかごの昇降速度を検出する昇降速度検出手段と、を備え、
前記制御手段は、前記制御電源電圧および前記駆動電源電圧の少なくとも一方が前記所定値より低下したことを前記電圧低下検出手段が検出すると、前記昇降用電動機を反対方向に運転して救出運転を再開するとともに、
前記制御手段は、乗りかごの昇降速度が増加していることを前記昇降速度検出手段が検出した場合には、前記電圧低下検出手段の検出結果にかかわらず現在行っている救出運転を継続することを特徴とする。
【００１１】
また、上記課題を解決する請求項３に記載の発明は、
乗りかごおよび釣合おもりを有したロープ式エレベータの停電時に乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段から前記制御手段に供給する制御電源電圧および前記停電時電力供給手段から前記昇降用電動機に供給する駆動電源電圧の少なくとも一方が所定値より低下したことを検出する電圧低下検出手段と、
前記乗りかごの昇降速度を検出する昇降速度検出手段と、を備え、
前記制御手段は、前記制御電源電圧および前記駆動電源電圧の少なくとも一方が前記所定値より低下したことを前記電圧低下検出手段が検出すると、前記昇降用電動機を反対方向に運転して救出運転を再開するとともに、
前記制御手段は、救出運転開始後に昇降用電動機の運転方向を一旦反転させた場合は、前記停電時電力供給手段が供給する前記制御電源電圧若しくは前記駆動電源電圧が前記所定値より低下したことを前記電圧低下検出手段が再度検出しても、昇降用電動機の運転方向を反転させることなく救出運転を継続し、
かつ前記制御手段は、乗りかごの昇降速度が増加していることを前記昇降速度検出手段が検出した場合には、前記電圧低下検出手段の検出結果にかかわらず現在行っている救出運転を継続することを特徴とする。
【００１２】
すなわち、ロープ式エレベータにおいて乗りかごおよび釣合おもりのいずれか重い方を上昇させる側、すなわち力行側に昇降用電動機を運転する際には、停電時電力供給手段から昇降用電動機に駆動電源電圧を連続して供給しなければならないから、停電時電力供給手段の出力電圧は徐々に低下する。
これに対して、乗りかごおよび釣合おもりのいずれか重い方を降下させる側、すなわち回生側に昇降用電動機を運転する際には、その出力電圧は低下しない。  このとき、請求項１に記載のエレベータの停電時救出運転装置は、救出運転を開始する際に昇降用電動機を誤って力行側に起動させても、電圧低下検出手段が電圧低下を検出しない限り救出運転を継続するので、停電時電力供給手段から供給される制御電源電圧および駆動電源電圧の低下を検出するという極めて簡単な構造でありながら、救出運転をスムーズに行うことができる。
なお、停電時電力供給手段が供給する制御電源電圧若しくは駆動電源電圧が所定値まで低下しても、停電時電力供給手段がそれ以降の救出運転を可能な電力を継続して供給できるようにすることは言うまでもない。
一方、停電時電力供給手段が供給する制御電源電圧若しくは駆動電源電圧が所定値以下になると、制御手段は昇降用電動機の作動を停止させた後に昇降用電動機を反対方向に運転するので、停電時電力供給手段、例えばバッテリの電気容量をより一層小さく設定した場合でも、エレベータの停電時救出運転を確実に行うことができる。
【００１３】
また、制御手段が救出運転開始後に昇降用電動機の運転方向を一旦反転させた後とは、救出運転開始時に昇降用電動機を誤って力行側に運転したために、停電時電力供給手段、例えばバッテリから供給する制御電源電圧若しくは駆動電源電圧が所定値以下に低下し、昇降用電動機を反対方向すなわち回生側に運転している状態である。
したがって、本発明のエレベータの停電時救出運転装置によれば、昇降用電動機を回生側に運転しているときに何らかの理由により電圧低下検出手段が電圧低下を検出しても、昇降用電動機の運転方向を力行側に反転させないから、停電時電力供給手段、例えばバッテリの電気容量をより一層小さく設定した場合でもエレベータの停電時救出運転を確実に行うことができる。
【００１４】
また、救出運転を開始した直後は乗りかごの昇降速度が増加するが、この状態においては一時的に停電時電力供給手段の出力電圧が所定値以下になる場合がある。このときに、電圧低下検出手段の検出結果に基づいて昇降用電動機の作動を一旦停止させて運転方向を反転させたのでは、昇降用電動機を力行側に運転してしまうことになる。
そこで、乗りかごの昇降速度が増加しない定常状態となったときに電圧低下検出手段の検出結果に基づいて制御を行うことにより、より正確な救出運転を行うことができる。
【００１５】
また、上記課題を解決する請求項４に記載の発明は、請求項１乃至３のいずれかに記載のエレベータの停電時救出運転装置に、前記停電時電力供給手段が前記制御手段に供給する制御電源電圧を一定に保つ定電圧回路をさらに設けたことを特徴とするものである。
これにより、電圧低下検出手段は、停電時電力供給手段が制御手段に供給する制御電源電圧の低下を検出しないで、停電時電力供給手段が昇降用電動機に供給する駆動電源電圧の低下のみを検出することになる。
したがって、停電時電力供給手段が昇降用電動機に供給する駆動電源電圧が所定値以下になるまで救出運転を継続できるから、停電時電力供給手段の電気容量を無駄なく使用できることとなり、停電時電力供給手段を小型化することができる。
なお、停電時電力供給手段が制御手段に供給する制御電源電圧が所定値以下に低下しても、制御手段による制御が支障無く行えるようにする。
【００１６】
また、上記課題を解決する請求項５に記載の発明は、
乗りかごおよび釣合おもりを有したロープ式エレベータの停電時に、乗りかごを昇降させて最寄りの階床に着床させる救出運転を行う停電時救出運転装置であって、
停電時に電力を供給する停電時電力供給手段と、
昇降用電動機の作動を制御する制御手段と、
前記停電時電力供給手段が出力する電流を監視する電流検出手段と、を備え、
前記制御手段は、前記停電時電力供給手段が救出運転中に所定値以上の電流を所定時間以上連続して出力していることを前記電流検出手段が検出すると、昇降用電動機の運転方向を反転させて救出運転を再開し、
前記制御手段は、救出運転開始後に昇降用電動機の運転方向を一旦反転させた後に、前記停電時電力供給手段が所定値以上の電流を所定時間以上連続して出力していることを前記電流検出手段が再度検出しても、昇降用電動機の運転方向を反転させることなく現在行っている救出運転を継続することを特徴とする。
【００１７】
すなわち、ロープ式エレベータにおいて乗りかごおよび釣合おもりのいずれか重い方を上昇させる側、すなわち力行側に昇降用電動機を運転する際には、停電時電力供給手段から昇降用電動機に駆動電源電圧を供給しなければならないから、停電時電力供給手段は所定値以上の電流を所定時間以上連続して出力する。
これに対して、乗りかごおよび釣合おもりのいずれか重い方を降下させる側、すなわち回生側に昇降用電動機を運転する際には、停電時電力供給手段が所定値以上の電流を所定時間以上連続して出力することはない。
このとき、請求項５に記載のエレベータの停電時救出運転装置は、救出運転を開始する際に昇降用電動機を誤って力行側に運転しても、停電時電力供給手段が所定値以上の電流を所定時間以上連続して出力していることを電流検出手段が検出しない限り現在行っている救出運転を継続するものであるから、停電時電力供給手段が出力する電流を監視するという極めて簡単な構造でありながら救出運転をスムーズに行うことができる。
一方、停電時電力供給手段が所定値以上の電流を所定時間以上連続して出力すると、制御手段は昇降用電動機の作動を停止させた後に昇降用電動機の運転方向を反転させるので、停電時電力供給手段、例えばバッテリの電気容量をより一層小さく設定した場合でもエレベータの停電時救出運転を確実に行うことができる。
【００１８】
また、制御手段が救出運転開始後に昇降用電動機の運転方向を一旦反転させた後とは、救出運転開始時に昇降用電動機を誤って力行側に運転したために、停電時電力供給手段が所定値以上の電流を所定時間以上連続して出力したことから、昇降用電動機の運転方向を反転させて回生側に運転している状態である。
したがって、請求項５に記載のエレベータの停電時救出運転装置によれば、昇降用電動機を回生側に運転しているときに、何らかの理由により停電時電力供給手段が所定値以上の電流を所定時間以上連続して出力していることを電流検出手段が検出しても、昇降用電動機の運転方向を反転させないから、停電時電力供給手段、例えばバッテリの電気容量をより一層小さく設定した場合でもエレベータの停電時救出運転を確実に行うことができる。
【００１９】
また上記課題を解決する請求項６に記載の発明は、請求項５に記載のエレベータの停電時救出運転装置に、前記乗りかごの昇降速度を検出する昇降速度検出手段をさらに設けるとともに、前記制御手段は、乗りかごの昇降速度が増加していることを前記昇降速度検出手段を検出した場合に、前記電流検出手段の検出結果にかかわらず現在行っている救出運転を継続することを特徴とする。
【００２０】
すなわち、救出運転を開始した直後は乗りかごの昇降速度が増加するが、この状態においては一時的に停電時電力供給手段が所定値以上の電流を所定時間以上連続して出力する場合がある。
このときに、電流検出手段の検出結果に基づいて昇降用電動機の作動を一旦停止させて運転方向を反転させたのでは、昇降用電動機を力行側に運転することになる。
そこで、乗りかごの昇降速度が増加しない定常状態となったときに、電流検出手段の検出結果に基づいて制御を行うことにより、より正確な救出運転が可能となる。
【００２１】
また上記課題を解決する請求項７に記載の発明は、請求項１乃至６のいずれかに記載のエレベータの停電時救出運転装置において、前記停電時電力供給手段を互いに直列に接続した複数のバッテリから構成するととともに、前記バッテリを個別に充電する充電手段をさらに設けたことを特徴とする。
すなわち、互いに直列に接続された複数のバッテリ間から異なる電圧の複数の電力を取り出して各種装置の電源として用いる場合には、各バッテリ毎に蓄えている電力に差が生じる。
これにより、直列に接続した複数のバッテリを全体的に一括して充電したのでは過充電となるバッテリや充電不足となるバッテリが存在し、各バッテリの寿命を縮めてしまう可能性がある。
そこで、各バッテリを個別に充電する充電手段を設けることにより、各バッテリの過充電や充電不足を防止してバッテリの寿命低下を防止することができる。  また、各バッテリの出力電圧をほぼ一定に維持することができるから、異なる電圧の電力を産み出すために複数の電源変換装置を設ける必要がなく、エレベータの停電時救出運転装置のより一層のコスト低減を図ることができる。
【００２２】
また上記課題を解決する請求項８に記載の発明は、請求項１乃至７のいずれかに記載のエレベータの停電時救出運転装置において、昇降用電動機にインバータを介して電力を供給するように構成するとともに、前記インバータの電源整流ダイオードが、前記停電時電力供給手段から前記インバータに電力を供給する回路に設ける逆流防止ダイオードを兼ねるようにしたものである。
これによりエレベータの停電時救出運転装置のより一層のコスト低減を図ることができる。
【００２３】
また上記課題を解決する請求項９に記載の発明は、請求項１乃至８のいずれかに記載のエレベータの停電時救出運転装置において、停電時に乗りかごが停止した位置を検出する位置検出手段をさらに設けるとともに、前記制御手段は、停電時に乗りかごが停止した位置に応じて実行する救出運転を選別することを特徴とする。
すなわち、停電時に乗りかごが各階床に対して所定の近傍範囲内に停止した場合には、救出運転開始に伴って昇降用電動機を力行側に運転することになってもその階床に向かう方向に乗りかごを移動させる救出運転を行う。これにより、乗りかごをより一層迅速に最寄りの階床に着床させることができる。
また、停電時に乗りかごが最上階より上方にずれて停止した場合には、乗りかごを無条件で降下させる救出運転を実行する。これにより、乗りかごが上昇して昇降路の最上端に衝突することを防止できる。
同様に、停電時に乗りかごが最下階より下方にずれて停止した場合には、乗りかごを無条件で上昇させる救出運転を実行する。これにより、乗りかごが降下して昇降路の最下端に衝突することを防止できる。
これに対して、停電時に乗りかごが各階床に対する所定の近傍範囲を外れて各階床間に停止した場合は、乗りかごの昇降方向の反転を許容する救出運転を実行する。
【００２４】
また上記課題を解決する請求項１０に記載の発明は、請求項１乃至９のいずれかに記載のエレベータの停電時救出運転装置において、前記制御手段および前記停電時電力供給手段を、一つの雷サージ吸収装置を介して常用電源に接続したことを特徴とする。
これにより、一つの雷サージ装置によって制御手段および停電時電力供給手段を雷サージから保護することができるから、エレベータの停電時救出運転装置のより一層のコスト低減を図ることができる。
【００２５】
【発明の実施の形態】
以下、本発明に係るエレベータの停電時救出運転装置の参考例および各実施形態を、図１乃至図１４を参照して詳細に説明する。なお、以下の説明においては、同一の部分には同一の符号を用いてその説明を簡単なものとする。
【００２６】
参考例
まず最初に図１乃至図５を参照し、参考例のエレベータの停電時救出運転装置１００について説明する。
【００２７】
図１に示したように、ロープ式エレベータ１の乗りかご２はロープＲを介して釣合おもり３に接続されるとともに、昇降用電動機４の正逆両方向の回転によって昇降するようになっている。
昇降用電動機４に駆動電源電圧を供給するインバータ装置５の作動は、主制御装置（制御手段）６から回路７を介して送られる制御信号によって制御される。
また、主制御装置６には、乗りかご２に設けた荷重検出装置２ａから信号回路２ｂを介して荷重信号が入力し、救出運転開始時の昇降用電動機の運転方向を決定するようになっている。
また、常用電源８が供給する電力の一部は、充電装置９を介して停電時電力供給手段を構成するバッテリ３０に蓄えられ、停電時に備えている。なお、バッテリ３０は、図１５に示した従来装置のバッテリ１０に対し、そのバッテリ容量が大幅に低減されている。
【００２８】
常用電源８が停電すると停電時電力供給用コンタクタ１１が自動的に閉じる。  これにより、バッテリ３０に蓄えられた停電時電力は回路１２および回路１３を介してインバータ装置５に供給されて三相交流に変換され、駆動電源電圧として昇降用電動機４に供給される。
なお、回路１２の途中に介装されたダイオード１４は逆流防止ダイオードであり、かつインバータ装置５内のダイオード１５は電源整流ダイオードである。
【００２９】
バッテリ３０に蓄えられた停電時電力は、ＤＣ／ＤＣコンバータ１６によって変圧され、回路１７を介して主制御装置６に、回路１８を介して電圧低下検出装置１９にそれぞれ制御電源電圧として供給される。
また、互いに直列に接続されたバッテリ３１，３２の接続箇所から延びる回路３３は前記回路１４に接続され、バッテリ３１の電圧を電圧低下検出装置１９に反映できるようになっている。
さらに、電圧低下検出装置１９には、インバータ装置５に内蔵された平滑コンデンサ２０の電圧が回路２１を介して供給されている。
そして電圧低下検出装置１９は、回路１８を介して検出する制御電源電圧および回路２１を介して検出する駆動電源電圧の少なくとも一方が所定の電圧より低下したことを検出すると、回路２２を介して主制御装置６に警報を送る。
【００３０】
次に、本参考例のエレベータの停電時救出運転装置１００におけるバッテリ３０の容量の選定方法について説明する。
【００３１】
図１５に示した従来装置においては、救出運転開始時に昇降用電動機４を誤って力行側に運転した場合でも、救出運転を確実に行えるようにバッテリ１０の容量を選定する必要があるため、次式に基づいてバッテリ１０の容量を選定していた。
Ｃ＝（Ｋ／０．８）×Ｉ                            ……（１）
ここで、Ｃはバッテリ容量、０．８は保守率、Ｋは容量換算時間、Ｉはバッテリ最大出力電流である。
【００３２】
また、図２に示したように、乗りかごを最大積載状態で上昇させる力行運転時の定常電流をＩとするとともに、乗りかごの上昇速度をＶとし、かつＯ．Ｂを乗りかご２と釣合おもり３との重量比を表すオーバーバランスとした時のモータ容量Ｐが、
Ｐ＝（（１−Ｏ．Ｂ）Ｗ×Ｖ／６１２０）            ……（２）
となることより、バッテリ電圧をＶＢとすると、Ｉは、
Ｉ＝（Ｐ＋Ｐ０×０．１）／ＶＢ                    ……（３）
だけ流れることになる。
ここで、Ｐ０はモータ定格容量、Ｐ０×０．１は銅損および鉄損を含めたモータ自体の損失である。
【００３３】
これに対し本参考例のエレベータの停電時救出運転装置１００においてバッテリ容量を選定するときには、昇降用電動機の運転方法を以下のように限定する。
(1)  停電時に乗りかごが各階床に対して所定の近傍範囲内に停止したときは、
昇降用電動機を力行側に運転してでも最寄りの階床に着床させる。
(2)  停電時に乗りかごが各階床に対する所定の近傍範囲を外れて各階床間に停
止したときは、昇降用電動機を必ず回生側に運転する。
【００３４】
このように運転方法を限定すると、上記(1)のように乗りかごが各階床に対して所定の近傍範囲内に停止したときには、乗りかごを最寄りの階床まで短い距離だけ移動させれば良い。これにより、昇降用電動機を力行側に運転しても、図３に示したように救出運転開始後１０秒以内には乗りかごを最寄りの階床に着床させることができる。
また、上記(2)のように乗りかごが各階床に対する所定の近傍範囲を外れて各階床間に停止したときには、昇降用電動機を回生側に運転するので、バッテリ電流は乗りかごが加減速するときにのみ流れる。
したがって、本参考例のエレベータの停電時救出運転装置１００におけるバッテリ容量は、図３に示したバッテリ電流を流せるだけのバッテリ容量であれば充分である。
【００３５】
このように昇降用電動機を力行側に運転する場合でも、乗りかごが最寄りの階床に着床するまでの約１０秒間だけ駆動電源電圧の供給を保証できるバッテリ容量を選定すれば、図４に示すようなバッテリ電圧の低下を考慮しても、バッテリ容量をＣとした場合にＩ＝６Ｃ〜１０Ｃとなる容量のバッテリを選定すれば良く、従来の装置に比較してバッテリ容量を大幅に低減することができる。
【００３６】
しかしながら、上述したようにぎりぎりのバッテリ容量を選定した場合には、昇降用電動機を力行側に継続して運転すると、バッテリが供給する電力の電圧値および電流値がさらに低くなってしまう。
そして、バッテリ３０が主制御装置６に供給する制御電源電圧およびインバータ装置５に供給する駆動電源電圧が急激に低下すると、それ以降の救出運転が不可能となってしまう。
そこで、このような救出運転不能状態を回避するため、本参考例のエレベータの停電時救出運転装置１００の主制御装置６は以下のように作動する。
【００３７】
すなわち、図５に示したフローチャート図のステップ（以下Ｓで表す）１において停電発生を認めると、Ｓ２において停電時救出運転装置を起動する。
次いでＳ３において、乗りかごに設けた荷重検出装置２ａから信号回路２ｂを介して入力する荷重信号に基づき、乗りかご２若しくは釣合おもり３のいずれか重い方を降下させる回生側を判別し、昇降用電動機４の運転方向を決定する。
このとき、荷重検出装置２ａの故障や誤作動若しくは荷重信号に含まれるノイズの影響等により、昇降用電動機４を誤って力行側に起動すると、バッテリ３０の容量不足による電圧低下によって救出運転が途中で停止する可能性がある。
そこで、Ｓ５において電圧低下検出装置１９は、回路１８を介して検出する制御電源電圧および回路２１を介して検出する駆動電源電圧の少なくとも一方が所定の電圧より低下しているか否かを判別する。そして、電圧低下を検出すると電圧低下検出装置１９は回路２２を介して主制御装置６に警報を送る。
【００３８】
主制御装置６は、電圧低下検出装置１９から電圧低下の警報が入力すると、昇降用電動機４が誤って力行側に運転されていると判別し、Ｓ６において昇降用電動機４の運転を一旦停止させた後、昇降用電動機４を反対方向に運転する。
そして、Ｓ７に進んで昇降用電動機４を反対方向に運転する救出運転を継続する。
その後、Ｓ８において乗りかご２が最寄りの階床に着床したか否かを判別し、判別結果がＹＥＳとなるまでＳ５〜Ｓ８に至るルーチンを継続して救出運転を完了する。
なお、昇降用電動機４を回生側に運転すると電動機の負荷は力行時に比較して低減されるから、バッテリ３０の電圧が低下する割合も大幅に低くなり、Ｓ５においてバッテリ３０の電圧低下を繰り返し検出し、そのたびにＳ６に進んで昇降用電動機の運転方向を繰り返し反転させる状態に陥ることはない。
【００３９】
すなわち、本参考例のエレベータの停電時救出運転装置１００は、救出運転を開始する際に昇降用電動機４を誤って力行側に運転しても、電圧低下検出装置１９が電圧低下を検出しない限り救出運転を継続するものであるから、バッテリ３０が供給する制御電源電圧若しくは駆動電源電圧の低下を検出するという極めて簡単な構造でありながら、救出運転をスムーズに行うことができる。
また、昇降用電動機４を力行側に運転したことに起因して電圧低下検出装置１９が電圧低下を検出した場合には、主制御装置６が昇降用電動機４の作動を停止させた後に昇降用電動機４を反対方向すなわち回生側に運転するので、バッテリ３０の電気容量をより一層小さく設定した場合でもエレベータの停電時救出運転を確実に行うことができる。
【００４０】
第１実施形態
次に図６を参照し、請求項２に対応するエレベータの停電時救出運転装置２００について説明する。
【００４１】
上述した参考例のエレベータの停電時救出運転装置１００は、電圧低下検出装置１９がバッテリ３０の電圧低下を検出すると、主制御装置６が昇降用電動機４の作動を停止させた後に昇降用電動機４を反対方向、すなわち回生側に運転する構造となっている。
一方、昇降用電動機４を回生側に運転するとバッテリ３０は充電され、通常はその電圧が高まるが、乗りかごを回生側に加速させる際には図３に示したようにバッテリ３０が電流を供給することになる。
そして、乗りかご２の荷重状況によっては乗りかごを回生側に加速させる際にバッテリ３０が供給する電流が大きくなり、バッテリ３０の電圧が所定値以下に再度低下する場合もあると考えられる。
この場合、昇降用電動機４が今度は力行側に運転されるので、救出運転をスムーズに行えなくなってしまう。
【００４２】
そこで、本第１実施形態のエレベータの停電時救出運転装置２００においては、救出運転開始後にバッテリ３０の電圧低下を検出して昇降用電動機４の運転方向を一旦反転させた後には、バッテリ３０の電圧低下を再度検出しても昇降用電動機４の運転方向を反転させない構造とした。
【００４３】
すなわち、図６に示したように、Ｓ６において昇降用電動機４の運転を一旦停止させて昇降用電動機４を反対方向に運転した後には、参考例とは異なってＳ７には進まず、Ｓ１８において乗りかご２が最寄りの階床に着床したか否かを判別した結果がＹＥＳとなるまでＳ１７からＳ１８に至るルーチンを継続して救出運転を完了する。
これにより、昇降用電動機４を回生側に運転しているときに何らかの理由により電圧低下検出装置１９が電圧低下を検出しても、昇降用電動機４の運転方向が力行側に反転しないから、バッテリ３０の電気容量をより一層小さく設定した場合でもエレベータの停電時救出運転を確実に行うことができる。
【００４４】
第２実施形態
次に図７を参照し、請求項３に対応するエレベータの停電時救出運転装置３００について説明する。
【００４５】
本第２実施形態のエレベータの停電時救出運転装置３００は、上述した参考例若しくは第１実施形態のエレベータの停電時救出運転装置１００，２００に、乗りかご２の昇降速度を検出する昇降速度検出手段をさらに設けるとともに、乗りかご２の昇降速度が増加していることを昇降速度検出手段が検出したときには、主制御装置６が電圧低下検出装置１９の検出結果にかかわらず現在行っている救出運転を継続するようにしたものである。
【００４６】
すなわち、救出運転を開始した直後は乗りかご２の昇降速度が増加するが、この場合には一時的にバッテリ３０の出力電圧が所定値以下になることがある。
このときに電圧低下検出装置１９の検出結果に基づいて昇降用電動機４の作動を一旦停止させて運転方向を反転させたのでは、昇降用電動機４を力行側に運転してしまう。
そこで、乗りかご２の昇降速度が増加しない定常状態となったときに、電圧低下検出装置１９の検出結果に基づいて制御を行うことにより、より正確な救出運転を行うことができる。
なお、乗りかごの昇降速度を検出する昇降速度検出手段としては、例えば昇降用電動機４と一体に回転するシーブの回転数を検出する装置、若しくは乗りかご２の昇降を案内するガイドレール上を転動するローラの回転数を検出する装置等を用いることができる。
【００４７】
このような制御を図７を参照して説明すると、図７に示したフローチャート図のＳ２１において停電発生を認めると、Ｓ２２において停電時救出運転装置を起動する。
次いでＳ２３において、乗りかごに設けた荷重検出装置２ａから信号回路２ｂを介して入力する荷重信号に基づき、乗りかご２若しくは釣合おもり３のいずれか重い方を降下させる回生側を判断し、昇降用電動機４の運転方向を決定する。  そして、Ｓ２４において昇降用電動機４を起動した後、Ｓ２５において乗りかごの昇降速度を調べて乗りかご２が加速中であるか否かを判別する。
この判別結果がＹＥＳの場合にはＳ２６に進んで電圧低下検出装置１９の作動を停止させ、若しくは電圧低下検出装置１９から送られる信号を無視して処理しないようにした後、Ｓ３０に進む。
これに対して、Ｓ２５における判別結果がＮＯの場合には、Ｓ２７に進んで電圧低下検出装置１９を作動させ、若しくは電圧低下検出装置１９から送られる信号に基づいた制御を開始する。
【００４８】
Ｓ２８において電圧低下検出装置１９は、回路１８を介して検出する制御電源電圧および回路２１を介して検出する駆動電源電圧の少なくとも一方が所定の電圧より低下しているか否かを判別する。そして、判別結果がＹＥＳの場合は電圧低下検出装置１９は回路２２を介して主制御装置６に警報を送る。
主制御装置６は、電圧低下検出装置１９から電圧低下の警報が入力すると昇降用電動機４が誤って力行側に運転されていると判断し、Ｓ２９に進んで昇降用電動機４の運転を一旦停止させた後、昇降用電動機４を反対方向に運転する。そして、Ｓ３０に進んで昇降用電動機４を反対方向に運転する救出運転を継続する。  Ｓ２８における判別結果がＮＯの場合には、昇降用電動機４を反対方向に運転することなくＳ３０に進んで救出運転を継続する。
その後、Ｓ３１において乗りかご２が最寄りの階床に着床したか否かを判別し、その判別結果がＹＥＳとなるまでＳ２５〜Ｓ３１に至るルーチンを継続し、救出運転を完了する。
【００４９】
すなわち、本第２実施形態のエレベータの停電時救出運転装置３００は、乗りかご２の昇降速度が増加しない定常状態となったときに電圧低下検出装置１９の検出結果に基づいて制御を行うので、乗りかご２が加速しているときに生じるバッテリ３０の電圧降下を無視してバッテリ３０の真の電圧低下を検出できる。
これにより、バッテリ３０の容量をより一層低減させた場合でも、エレベータの停電時救出運転をより正確に行うことができる。
【００５０】
第３実施形態
次に図８を参照し、請求項４に対応するエレベータの停電時救出運転装置４００について説明する。
【００５１】
図８に示したエレベータの停電時救出運転装置４００は、互いに直列に接続されたバッテリ３１，３２の接続箇所より延びる回路３４を直接主制御装置６に接続した点と、前記回路３４から分岐して電圧低下検出装置１９に至る回路３５の途中に定電圧出力装置３６を設けた点の２点において、図１に示したエレベータの停電時救出運転装置１００と異なっている。
【００５２】
これにより、電圧低下検出装置１９に入力する制御電源電圧は定電圧出力装置３６によってバックアップされて低下しないから、電圧低下検出装置１９はバッテリ３０から供給される制御電源電圧の低下を検出できなくなる。
したがって、電圧低下検出装置１９は、回路２１を介してバッテリ３０がインバータ装置５に供給する駆動電源電圧の低下のみを検出するので、バッテリ３０が昇降用電動機４に供給する駆動電源電圧が所定値以下になるまで救出運転を継続できることとなり、バッテリ３０の電気容量を無駄なく使用できるから、バッテリ３０の電気容量をより一層小さくすることができる。
また、電圧低下検出装置１９に制御電源電圧を供給する回路３５の途中にのみ定電圧出力装置３６を設けるので、電圧低下検出装置１９を小型のものとし、より一層のコスト低減を図ることができる。
【００５３】
なお、バッテリ３０の出力電圧低下に伴い、主制御装置６および電圧低下検出装置１９に供給する制御電源電圧もやがては低下するが、主制御装置６および電圧低下検出装置１９は共に制御電源電圧がある程度低下しても正常に動作できるように構成する。
【００５４】
第４実施形態
次に図９および図１０を参照し、請求項５乃至７に対応するエレベータの停電時救出運転装置５００について説明する。
【００５５】
図９に示したエレベータの停電時救出運転装置５００は、図１に示した参考例のエレベータの停電時救出運転装置１００に対し、バッテリ３０からインバータ装置５に供給する駆動電源電圧の低下および主制御装置６に供給する制御電源電圧の低下を検出する電圧低下検出装置１９に代え、バッテリ３０からインバータ装置５に駆動電源電圧を供給する回路１２に流れる電流を監視する電流検出装置４０を設けた点で異なっている。
【００５６】
前記電流検出装置４０は、インバータ装置５に駆動電源電圧を供給する回路１２にバッテリ３０が所定値以上の電流を所定時間以上連続して出力していることを検出すると、回路４１を介して主制御装置６に警報を送るように構成されている。  また、主制御装置６は、この警報を受け取ると昇降用電動機４の作動を一旦停止させた後、昇降用電動機の運転方向を反転させて救出運転を再開するように構成されている。
【００５７】
次に、図１０に示したフローチャート図を参照し、主制御装置６の制御の流れを説明する。
【００５８】
主制御装置６は、Ｓ４０において停電発生を認めるとＳ４１において停電時救出運転装置を起動する。
次いでＳ４２において、乗りかごに設けた荷重検出装置２ａから信号回路２ｂを介して入力する荷重信号に基づき、乗りかご２若しくは釣合おもり３のいずれか重い方を降下させる回生側を判断して昇降用電動機４の運転方向を決定した後、Ｓ４３において昇降用電動機４を起動する。
このとき、荷重検出装置２ａの故障や誤作動若しくは荷重信号に含まれるノイズの影響等により昇降用電動機４を誤って力行側に運転すると、バッテリ３０の容量不足による電圧低下によって救出運転が途中で停止する可能性がある。
【００５９】
そこで、電流検出装置４０はＳ４４において、インバータ装置５に駆動電源電圧を供給する回路１２にバッテリ３０が所定値以上の電流を所定時間以上連続して出力しているか否かを判別する。
この判別結果がＹＥＳの場合には、昇降用電動機４を誤って力行側に運転した場合であるから、Ｓ４５において昇降用電動機４の運転を一旦停止させた後、昇降用電動機４を反対方向に運転する。
そして、Ｓ４６に進んで昇降用電動機４を反対方向に運転する救出運転を継続しつつ、Ｓ４７における判別結果がＹＥＳとなるまでＳ４６〜Ｓ４７に至るルーチンを継続して救出運転を完了する。
これに対して、Ｓ４４の判別結果がＮＯの場合には、昇降用電動機４の運転方向を反転させることなくＳ４８に進み、Ｓ４９における判別結果がＹＥＳとなるまでＳ４４〜Ｓ４９に至るルーチンを継続して救出運転を完了する。
【００６０】
すなわち、ロープ式エレベータにおいて乗りかご２および釣合おもり３のいずれか重い方を上昇させる側、すなわち力行側に昇降用電動機４を運転する際には、バッテリ３０から昇降用電動機４に駆動電源電圧を供給しなければならないから、バッテリ３０は所定値以上の電流を所定時間以上連続して出力する。
これに対して、乗りかご２および釣合おもり３のいずれか重い方を降下させる側、すなわち回生側に昇降用電動機４を運転する際には、バッテリ３０が所定値以上の電流を所定時間以上連続して出力することはない。
このとき、本第４実施形態のエレベータの停電時救出運転装置５００は、救出運転を開始する際に昇降用電動機４を誤って力行側に運転しても、バッテリ３０が所定値以上の電流を所定時間以上連続して出力していることを電流検出装置４０が検出しない限り救出運転を継続するので、バッテリ３０が出力する電流を監視するという極めて簡単な構造でありながら救出運転をスムーズに行うことができる。
また、バッテリ３０が所定値以上の電流を所定時間以上連続して出力すると、主制御装置６は昇降用電動機４の作動を一旦停止させた後に昇降用電動機４を反対方向に運転するので、バッテリ３０の電気容量をより一層小さく設定した場合でもエレベータの停電時救出運転を確実に行うことができる。
【００６１】
加えて、本第４実施形態のエレベータの停電時救出運転装置５００においては、主制御装置６は、救出運転開始後に昇降用電動機４の運転方向を一旦反転させた後に、昇降用電動機４の運転方向を再反転させることはない。
これにより、救出運転開始後に昇降用電動機４の運転方向を一旦反転させて回生側に運転しているときに、何らかの理由によりバッテリ３０が所定値以上の電流を所定時間以上連続して出力したことを電流検出装置４０が検出しても、昇降用電動機４の運転方向が再反転して力行側に運転することがない。
したがって、本第４実施形態のエレベータの停電時救出運転装置５００によれば、停電時におけるエレベータの救出運転をスムーズに行えるだけでなく、バッテリ３０の電気容量をより一層小さく設定した場合でもエレベータの停電時救出運転を確実に行うことができる。
【００６２】
なお、本第４実施形態上述のエレベータの停電時救出運転装置５００に、前述した第２実施形態のエレベータの停電時救出運転装置３００と同様に、乗りかご２の昇降速度を検出する昇降速度検出手段をさらに設けるとともに、この昇降速度検出手段を介して乗りかご２の昇降速度が増加していることを検出したときには、電流検出装置４０の作動を停止させ、若しくは電流検出装置４０の検出結果にかかわらず、現在行っている救出運転を継続するようにすることができる。
【００６３】
すなわち、救出運転を開始した直後は乗りかご２の昇降速度が増加するが、この状態においては一時的にバッテリ３０が所定値以上の電流を所定時間以上連続して出力することになる。
このときに電流検出装置４０の検出結果に基づいて昇降用電動機４の作動を一旦停止させて運転方向を反転させたのでは、昇降用電動機４を力行側に運転してしまう場合が生じる。
そこで、乗りかご２の昇降速度が増加しない定常状態となったときに、電流検出装置４０検出結果に基づいて昇降用電動機の作動を制御することにより、より一層正確な救出運転が可能となる。
【００６４】
第５実施形態
次に図１１を参照し、請求項８に対応するエレベータの停電時救出運転装置６００について説明する。
【００６５】
図１１に示したエレベータの停電時救出運転装置６００においては、停電時電力供給手段としてのバッテリ５０が、複数のバッテリ５０ａ，５０ｂ，５０ｃを互いに直列に接続した構造となっている。
そして、バッテリ５０ａから得られる低い電圧の制御電源電圧は、回路５１を介して主制御装置６に直接供給されるとともに、ＤＣ／ＤＣコンバータ１６によって電圧を変化させた後に回路５２を介して主制御装置６に供給されている。
同様に、バッテリ５０ａおよび５０ｂから得られる高い電圧の制御電源電圧は、回路５３を介して主制御装置６に直接供給されている。
さらに、バッテリ５０の全体から得られる駆動電源電圧は、回路１２および１３を介してインバータ装置５に供給されている。
【００６６】
このように、互いに直列に接続したバッテリ５０ａ，５０ｂ，５０ｃ間から異なる電圧の複数の電力を取り出して主制御装置６の各部位の電源として用いる場合には、各バッテリ５０ａ，５０ｂ，５０ｃ毎に蓄えている電力に差が生じる。  したがって、互いに直列に接続したバッテリ５０ａ，５０ｂ，５０ｃの全体を充電装置を用いて一括して充電したのでは、過充電となるバッテリや充電不足となるバッテリが存在し、各バッテリの寿命を縮めてしまう可能性がある。
【００６７】
そこで、本第５実施形態のエレベータの停電時救出運転装置６００のバッテリ充電装置６０は、直列に接続した複数のバッテリ５０ａ，５０ｂ，５０ｃをそれぞれ個別に充電するバッテリ充電装置６０ａ，６０ｂ，６０ｃを備えている。
これにより、各バッテリ５０ａ，５０ｂ，５０ｃの過充電や充電不足を防止して、バッテリの寿命低下を防止することができる。
また、各バッテリ５０ａ，５０ｂ，５０ｃの出力電圧をほぼ一定に維持することができるから、異なる電圧の電力を産み出すために複数のＤＣ／ＤＣコンバータを設ける必要がなく、エレベータの停電時救出運転装置６００のより一層のコスト低減を図ることができる。
【００６８】
第６実施形態
次に図１２を参照し、請求項９に対応するエレベータの停電時救出運転装置７００について説明する。
【００６９】
図１２に示したエレベータの停電時救出運転装置７００は、バッテリ３０のプラス出力側を、図１に示した参考例のエレベータの停電時救出運転装置１００のように回路１２の途中に設けた逆流防止ダイオード１４を介しインバータ装置５に接続するのではなく、インバータ装置５内の電源整流ダイオード１５の１次側に回路１２を介して直接接続したものである。
これにより、逆流防止ダイオード１４の削除が可能となるので、より一層のコスト低減を図ることができる。
【００７０】
第７実施形態
次に図１３を参照し、請求項１０に対応するエレベータの停電時救出運転装置８００について説明する。
【００７１】
前述した参考例のエレベータの停電時救出運転装置１００は、バッテリが供給する制御電源電圧若しくは駆動電源電圧が所定値以下に低下した場合に、昇降用電動機を誤って力行側に起動したと判断し、昇降用電動機の作動を一旦停止させた後、無条件で昇降用電動機の回転方向を反転させるものであった。
これに対して、本第７実施形態のエレベータの停電時救出運転装置８００は、停電時に乗りかごが停止した位置に応じて救出運転方法を選別して実行する。
【００７２】
すなわち、停電時に乗りかごが各階床に対して所定の近傍範囲内に停止した場合には、救出運転開始に伴って昇降用電動機を力行側に運転してでも、その階床に向かう方向に乗りかごを昇降させる。
また、停電時に乗りかごが最上階より上方にずれて停止した場合には、救出運転の開始時に乗りかごを無条件で降下させる。
同様に、停電時に乗りかごが最下階より下方にずれて停止した場合には、救出運転の開始時に乗りかごを無条件で上昇させる。
したがって、以上の場合には、乗りかごの昇降方向反転を一切禁止する所定の救出運転を実行する。
これに対して、停電時に乗りかごが各階床毎の所定の近傍範囲を外れて各階床間に停止した場合は、乗りかごの昇降方向反転を許容する通常の救出運転を実行する。
【００７３】
このような制御を図１３に示したフローチャート図を用いて説明すると、Ｓ５１において停電発生が認められ、Ｓ５２において停電時救出運転装置を起動すると、Ｓ５３において乗りかごの停電時停止位置が制限範囲内にあるか否かを判別する。
このため、本第７実施形態のエレベータの停電時救出運転装置８００は、乗りかごの停電時停止位置を検出するための停止位置検出手段を備える。
なお、乗りかごの停電時の停止位置を検出する停止位置検出手段としては、従来用いられているリミットスイッチ等の機械式のもの、若しくは乗りかごに設けた部材が光線を遮ることにより作動する光学式のものを用いることができる。
そして、乗りかごが停電時に所定範囲内、すなわち各階床に対する所定の近傍範囲内および最上階より上方若しくは最下階より下方に停止していると判別されると、Ｓ５４において乗りかごの昇降方向反転を一切禁止する。次いでＳ５５に進み、乗りかごの停止位置に応じた所定の救出運転方法を選択して実行する。
これに対して、乗りかごの停電時停止位置が前記所定範囲を外れていると判別した場合は、Ｓ５６において乗りかごの昇降方向反転を許容する。次いで、Ｓ５７に進み、例えば前述した参考例で説明したような通常の救出運転を実行する。
【００７４】
第８実施形態
次に図１４を参照し、請求項１１に対応するエレベータの停電時救出運転装置９００について説明する。
【００７５】
本第８実施形態のエレベータの停電時救出運転装置９００は、落雷に伴って常用電源回路に生じる高電圧のパルス波を吸収する雷サージ吸収装置を、主制御装置６と充電装置９とで共用することにより、より一層のコスト低減を図ったものである。
このため、図１４に示したように、停電復旧時に常用電源８から充電装置９に常用電力を供給する回路８１の途中には、常閉リレー接点８１と第２リレー装置８２とが設けられている。
また、常用電源８からインバータ装置５に常用電力を供給する回路８３の途中には、第１の常開リレー接点８４が設けられている。
また、前記回路８３から分岐して主制御装置６に常用電力を供給する回路８５の途中には雷サージ吸収装置８６が設けられている。
また、回路８０と回路８５とを接続する回路８７の途中には、第２の常開リレー接点８８が設けられている。
さらに、回路８５から図示されない他の装置に至る回路８９の途中には第１リレー装置９０が設けられている。
【００７６】
停電が復旧した直後には、図１３中に符号Ａを付して２点鎖線で示したように、常用電源８から回路８０を介して充電装置９に常用電力が供給される。
これに伴い第２リレー装置８２が励磁されて第１および第２の常開リレー接点８４，８８が閉じるので、図１３中に符号Ｂを付して点線で示したように、常用電源８からインバータ装置５、雷サージ吸収装置８６、主制御装置６、充電装置９にそれぞれ常用電力が供給される。
すると今度は第１リレー装置９０が励磁されて常閉リレー接点８１が開くので、充電装置９には雷サージ吸収装置８６を経由した常用電力が供給される。
【００７７】
これにより、一つの雷サージ吸収装置８６を介して主制御装置６および充電装置９に常用電力を供給できるから、主制御装置６および充電装置９にそれぞれ雷サージ吸収装置を設ける場合に比較し、より一層のコスト低減を図ることができる。
【００７８】
以上、本発明に係るエレベータの停電時救出運転装置の各実施形態ついて詳しく説明したが、本発明は上述した実施形態によって限定されるものではなく、種々の変更が可能であることは言うまでもない。
例えば、停電時電力供給手段としてバッテリを用いているが、バッテリの他に他の種類の二次電池を用いることができる。
【００７９】
【発明の効果】
以上の説明から明らかなように、本発明のエレベータの停電時救出運転装置は、救出運転を開始する際に昇降用電動機を誤って力行側に運転しても、停電時電力供給手段が供給する電力の電圧低下を電圧低下検出手段が検出しない限り救出運転を継続するものであるから、停電時電力供給手段が供給する電力の電圧低下を検出するという極めて簡単な構造でありながら、救出運転をスムーズに行うことができる。
また、停電時電力供給手段が供給する電力の電圧が所定値以下になると、昇降用電動機の作動を停止させた後に昇降用電動機を反対方向に運転するので、停電時電力供給手段、例えばバッテリの電気容量をより一層小さく設定することができる。
また、昇降用電動機を回生側に運転しているときに何らかの理由により電圧低下検出手段が電圧低下を検出しても、昇降用電動機の運転方向を力行側に反転させないから、停電時電力供給手段、例えばバッテリの電気容量をより一層小さく設定した場合でもエレベータの停電時救出運転を確実に行うことができる。
また、救出運転を開始した後、乗りかごの昇降速度が増加しない定常状態となったときに電圧低下検出手段の検出結果に基づいて制御を行うので、より正確な救出運転を行うことができる。
また、停電時電力供給手段が昇降用電動機に供給する駆動電源電圧の低下のみを検出するから、停電時電力供給手段が昇降用電動機に供給する駆動電源電圧が所定値以下になるまで救出運転を継続できる。これにより、停電時電力供給手段の電気容量を無駄なく使用できることとなって、停電時電力供給手段をより一層小型化することができる。
同じく、本発明のエレベータの停電時救出運転装置は、救出運転を開始する際に昇降用電動機を誤って力行側に運転しても、停電時電力供給手段が所定値以上の電流を所定時間以上連続して出力していることを電流検出手段が検出しない限り現在行っている救出運転を継続するので、停電時電力供給手段が出力する電流を監視するという極めて簡単な構造でありながら救出運転をスムーズに行うことができる。
一方、停電時電力供給手段が所定値以上の電流を所定時間以上連続して出力すると、制御手段は昇降用電動機の作動を停止させた後に昇降用電動機の運転方向を反転させるので、停電時電力供給手段、例えばバッテリの電気容量をより一層小さく設定することができる。
また、昇降用電動機を回生側に運転しているときに、何らかの理由により停電時電力供給手段が所定値以上の電流を所定時間以上連続して出力していることを電流検出手段が検出しても、昇降用電動機の運転方向を反転させないから、停電時電力供給手段、例えばバッテリの電気容量をより一層小さく設定することができる。
また、救出運転を開始した後、乗りかごの昇降速度が増加しない定常状態となったときに電流検出手段の検出結果に基づいて制御を行うので、より正確な救出運転を行うことができる。
さらに、互いに直列に接続した複数のバッテリを個別に充電する充電手段を設けるので、各バッテリの過充電や充電不足を防止してバッテリの寿命低下を防止できる。また、各バッテリの出力電圧をほぼ一定に維持することができるから、異なる電圧の電力を産み出すために複数の電源変換装置を設ける必要がなく、エレベータの停電時救出運転装置のより一層のコスト低減を図ることができる。
さらに、昇降用電動機に駆動電源電圧を供給するインバータの電源整流ダイオードが、停電時電力供給手段からインバータに電力を供給する回路に設ける逆流防止ダイオードを兼ねるから、より一層のコスト低減を図ることができる。
さらに、停電時に乗りかごが停止した位置に応じて実行する救出運転を選別するので、乗りかごを最寄りの階床に迅速に着床させることができるばかりでなく、乗りかごが昇降路の最上端や最下端に衝突することを確実に防止することができる。
加えて、制御手段および停電時電力供給手段を一つの雷サージ吸収装置を介して常用電源に接続するので、エレベータの停電時救出運転装置のより一層のコスト低減を図ることができる。
したがって、本発明によれば、非常用電源としてのバッテリの容量を小さくすることにより製造コストおよび設置スペースを低減できるばかりでなく、スムーズな救出運転が可能で、かつ構造が簡単で保守性にも優れたエレベータの救出運転装置を提供することができる。
【図面の簡単な説明】
【図１】本発明に係る参考例の停電時救出運転装置の構成を示すブロック図。
【図２】従来の停電時救出運転装置における乗りかご速度パターンとバッテリ電流との関係を示す線図。
【図３】本発明に係る停電時救出装置における乗りかご速度パターンとバッテリ電流との関係を示す線図。
【図４】バッテリの放電特性の一例を示す線図。
【図５】本発明に係る参考例の停電時救出運転装置の作動を示すフローチャート図。
【図６】本発明に係る第１実施形態の停電時救出運転装置の作動を示すフローチャート図。
【図７】本発明に係る第２実施形態の停電時救出運転装置の作動を示すフローチャート図。
【図８】本発明に係る第３実施形態の停電時救出運転装置の構成を示すブロック図。
【図９】本発明に係る第４実施形態の停電時救出運転装置の構成を示すブロック図。
【図１０】本発明に係る第４実施形態の停電時救出運転装置の作動を示すフローチャート図。
【図１１】本発明に係る第５実施形態の停電時救出運転装置の構成を示すブロック図。
【図１２】本発明に係る第６実施形態の停電時救出運転装置の構成を示すブロック図。
【図１３】本発明に係る第７実施形態の停電時救出運転装置の作動を示すフローチャート図。
【図１４】本発明に係る第８実施形態の停電時救出運転装置の構成を示すブロック図。
【図１５】従来の停電時救出運転装置の構成を示すブロック図。
【符号の説明】
１  ロープ式エレベータ
２  乗りかご
２ａ  荷重検出装置
３  釣合おもり
４  昇降用電動機
５  インバータ装置
６  主制御装置（制御手段）
８  常用電源
９  充電装置
１０  バッテリ
１１  停電時電力供給用コンタクタ
１４  逆流防止ダイオード
１５  電源整流ダイオード
１６  ＤＣ／ＤＣコンバータ
１９  電圧低下検出装置
２０  平滑コンデンサ
３０  停電時電力供給装置（バッテリ）
３１，３２  バッテリ
３６  定電圧出力装置
４０  電流検出装置
５０  バッテリ
６０  バッテリ充電装置
８１  常閉リレー接点
８３  第２リレー装置
８４  常開リレー接点
８６  雷サージ吸収装置
８８  常開リレー接点
８９  第１リレー装置
１００  参考例のエレベータの停電時救出運転装置
２００  第１実施形態のエレベータの停電時救出運転装置
３００  第２実施形態のエレベータの停電時救出運転装置
４００  第３実施形態のエレベータの停電時救出運転装置
５００  第４実施形態のエレベータの停電時救出運転装置
６００  第５実施形態のエレベータの停電時救出運転装置
７００  第６実施形態のエレベータの停電時救出運転装置
８００  第７実施形態のエレベータの停電時救出運転装置
９００  第８実施形態のエレベータの停電時救出運転装置
【図１】
0004416224.tif 000002
【図２】
0004416224.tif 000003
【図３】
0004416224.tif 000004
【図４】
0004416224.tif 000005
【図５】
0004416224.tif 000006
【図６】
0004416224.tif 000007
【図７】
0004416224.tif 000008
【図８】
0004416224.tif 000009
【図９】
0004416224.tif 000010
【図１０】
0004416224.tif 000011
【図１１】
0004416224.tif 000012
【図１２】
0004416224.tif 000013
【図１３】
0004416224.tif 000014
【図１４】
0004416224.tif 000015
【図１５】
0004416224.tif 000016